(57)【特許請求の範囲】
【請求項１】
衝突エネルギを吸収するべくバンパの車体側かつ下部に設けられた下部衝撃吸収部材を有する車体前部構造であって、
フロントバルクヘッドのロア部材が、板材をコ字状断面形状に形成したコ字状断面部材と、前記コ字状断面部材の前記開口を遮蔽するように板材から形成した蓋状部材とからなり、かつ前記両部材のそれぞれの縁部にて外向きに形成された各フランジの対峙するもの同士を固着して閉断面形状に形成され、
前記各フランジの一方が前記バンパ側に延長され、
前記下部衝撃吸収部材は、
合成樹脂製であり、
前記フランジの延長された部分を挿通する開口を下方に有し、
前記開口に挿通した前記フランジの延長された部分の上面に前記下部衝撃吸収部材の前記ロア部材側となる基端部が載置状態に固定されることにより車体上下方向について保持され、かつ前記基端部の前記固定された部分から前記フランジの延長された部分の下面に沿って前記ロア部材の前記バンパに臨む壁面に至るように形成された延出部分を有し、
前方からの荷重に対しては前記固定された部分と前記延出部分の前記ロア部材の前記壁面への衝当とにより受けることを特徴とする車体前部構造。
【請求項２】
前記下部衝撃吸収部材の前記延出部分は、一段下げられた階段状に形成されかつ階段上面に設けられたリブを有すると共に前記フランジの延長された部分を挿通する開口を有し、
前記フランジの延長された部分が前記下部衝撃吸収部材の前記基端部と前記リブとにより挟持されていることを特徴とする請求項１に記載の車体前部構造。
【請求項３】
前記下部衝撃吸収部材の車体前側端部に、前記バンパの下部にて車体後方に突出形成された突出部分と、車体上下方向に対峙する凸部とが設けられていることを特徴とする請求項１または請求項２に記載の車体前部構造。
【発明の詳細な説明】
【技術分野】
【０００１】
本発明は、下部衝撃吸収部材を有するパンパに適用される車体前部構造に関するものである。
【背景技術】
【０００２】
従来、自動車の軽微な前方衝突時に衝撃を吸収するために、自動車の車体前側にはバンパが設けられている。また、バンパの機能として、歩行者に対する保護も必要であり、バンパの凹部内であって上側部分に上段衝撃吸収体を設けると共に下側部分に上段衝撃吸収体よりも剛性の高い下段衝撃吸収体を設けて、衝突時歩行者の足（脚部）を上段衝撃吸収体により衝突エネルギを吸収すると共に下段衝撃吸収体により脚部の下側を払い上げるようにして、歩行者の脚部を衝突から安全に保護することができるようにしたものがあった（例えば特許文献１参照）。
【特許文献１】特開２００２−２７４２９８公報
【発明の開示】
【発明が解決しようとする課題】
【０００３】
上記特許文献１の下段衝撃吸収体にあっては、十分な剛性を確保するために、板状体に縦リブおよび横リブを設けることによりある程度の厚さを有する形状に形成され、その車体側部分が車体フレームに固設されている。
【０００４】
しかしながら、下段衝撃吸収体にあっては、上記したように厚さを有する形状に形成されていることから、厚さ方向への変位を防止するために、その車体への固設構造にあっては、板状体の車体側延出部分が車体フレームの下面に固設され、隣り合う一対のリブの上端同士を連結するように橋渡し状に形成されたリム部が車体フレームの上部部分に固設されている。このように、下段衝撃吸収体の車体フレームへの固設箇所が２箇所必要となっており、軽微なダメージの場合に行う修理・交換が容易ではないという問題があった。
【０００５】
また、上記したように厚さがあるため、上下方向に離間した２箇所で車体フレームに固設することが望ましく、そのため車体フレームにおいてもある程度厚さのある部分に限られてしまい、取付スペースの確保などレイアウトに制約が生じるという問題があった。
【課題を解決するための手段】
【０００６】
このような課題を解決して、修理・交換が容易であり、また取り付けスペース効率の良い自動車用パンパを実現するために本発明に於いては、衝突エネルギを吸収するべくバンパ（３１）の車体（１）側かつ下部に設けられた下部衝撃吸収部材（３７）を有する車体前部構造であって、フロントバルクヘッド（１３）のロア部材（１３ａ）が、板材をコ字状断面形状に形成したコ字状断面部材（３４）と、前記コ字状断面部材（３４）の前記開口を遮蔽するように板材から形成した蓋状部材（３５）とからなり、かつ前記両部材（３４・３５）のそれぞれの縁部にて外向きに形成された各フランジ（３４ａ・３５ａ）の対峙するもの同士を固着して閉断面形状に形成され、前記各フランジ（３４ａ・３５ａ）の一方が前記バンパ（３１）側に延長され、前記下部衝撃吸収部材（３７）は、合成樹脂製であり、前記フランジの延長された部分（３６）を挿通する開口（３７ｆ）を下方に有し、前記開（３７ｆ）口に挿通した前記フランジの延長された部分（３６）の上面に前記下部衝撃吸収部材（３７）の前記ロア部材（１３ａ）側となる基端部（３７ｅ）が載置状態に固定されることにより車体上下方向について保持され、かつ前記基端部（３７ｅ）の前記固定された部分から前記フランジの延長された部分（３６）の下面に沿って前記ロア部材（１３ａ）の前記バンパ（３１）に臨む壁面（３９）に至るように形成された延出部分（３７ｄ）を有し、前方からの荷重に対しては前記固定された部分と前記延出部分の前記ロア部材の前記壁面への衝当とにより受けるものとした。
【０００７】
特に、前記下部衝撃吸収部材（３７）の前記延出部分（３７ｄ）は、一段下げられた階段状に形成されかつ階段上面に設けられたリブ（４１）を有すると共に前記フランジの延長された部分（３６）を挿通する開口（３７ｆ）を有し、前記フランジの延長された部分（３６）が前記下部衝撃吸収部材（３７）の前記基端部（３７ｅ）と前記リブ（４１）とにより挟持されていると良い。また、前記下部衝撃吸収部材（３７）の車体前側端部に、前記バンパ（３１）の下部にて車体後方に突出形成された突出部分（３１ｂ）と、車体上下方向に対峙する凸部（４０）とが設けられていると良い。
【発明の効果】
【０００８】
本発明の請求項１によれば、バンパ内に設けられた下部衝撃吸収部材の基端部が、フロントバルクヘッドのロア部材のフランジ延長部分に固定され、かつロア部材のバンパ側壁面に至る延出部分を有していることにより、下部衝撃吸収部材の車体前後方向についての固定箇所を１箇所とすることができ、固定作業を簡素化し得るため、軽微なダメージ時の修理・交換が容易となる。また、前方衝突による下部衝撃吸収部材への荷重を、延出部分がロア部材の壁面に衝当することにより受けることができ、上記１箇所の固定でも何等問題が無い。
【０００９】
また、請求項２によれば、ロア部材を構成する部材のフランジの延長された部分が下部衝撃吸収部材の基端部とリブとにより挟持されるため、基端部をフランジに車体上下方向について１箇所で止める構造にしても安定して下部衝撃吸収部材を保持することができる。また、請求項３によれば、衝突時に下部衝撃吸収部材をはね上げる力が作用しても、凸部がバンパに衝当して、それ以上の跳ね上がりが防止されるため、下部衝撃吸収部材の基端部がロア部材のバンパ側壁面に確実に衝当し、歩行者の足払いが可能となる。
【発明を実施するための最良の形態】
【００１０】
以下、本発明の実施の形態を、図面を参照しながら説明する。図１は本発明が適用された乗用車型自動車のフレーム全体を斜め前方から見た斜視図であり、図２は、図１の矢印II線から見た車体前部を示す要部拡大断面図である。
【００１１】
図１に示されるように、本実施形態の車体構造は、車体１０の前部の骨格強度部材として、車体前後方向に延在する左右のフロントサイドフレーム１１・１２と、フロントサイドフレーム１１・１２の先端部（車体前側）間に嵌め込まれた状態に結合された矩形状のフロントバルクヘッド１３とを有し、これらの内側にエンジンルーム１４を画定している。なお、フロントサイドフレーム１１・１２の車体前側には車体前方に延出する左右のエクステンション１１ａ・１２ａがそれぞれ結合されており、各エクステンション１１ａ・１２ａの車体前側部分にフロントバンパビーム２６の左右両端部が結合されている。左右のフロントサイドフレーム１１・１２は、各々、後端をアウトリガー１５・１６によって左右のサイドシルメンバー１７・１８の前端に固定接合されている。
【００１２】
また、左右のフロントピラー１９・２０から斜め下方に延出し、左右のフロントサイドフレーム１１・１２の車体前側端部の近傍にそれぞれ至る左右のメンバー２１・２２が配設されている。左右のフロントサイドフレーム１１・１２と左右のメンバー２１・２２との各車体前側端部は連結部材２５を介して一体的に結合されている。なお、左右のメンバー２１・２２と左右のフロントサイドフレーム１１・１２とにより確定される空間には前輪用の左右のホイールハウス２３・２４が設けられている。
【００１３】
なお、各骨格強度部材は例えばコ字状断面部材と板状部材とにより矩形閉断面を形成するものであって良く、この形状は車体の骨格強度部材として公知であり、その詳しい説明は省略する。
【００１４】
図２は、上記骨格部材の他に、バンパ３１・ラジエータ３２・コンデンサ３３が配設された状態を示す図である。バンパ３１は図示されないブラケットなどを介してフロントバルクヘッド１３に結合されており、ラジエータ３２はフロントバルクヘッド１３の矩形状の枠内に収まるように図示されないブラケットを介して支持され、コンデンサ３３もフロントバルクヘッド１３に図示されないブラケットを介して支持されていて良い。
【００１５】
フロントバルクヘッド１３の車体下側の車幅方向に延在するロア部材１３ａは、図２に示されるように、板材としての鋼板をプレス加工して車体上方に開口するコ字状断面に形成されたコ字状断面部材３４と、同じく鋼板により形成されかつコ字状断面部材３４の開口を遮蔽するべくコ字状断面部材３４に重ね合わされる蓋状部材３５とにより形成されている。各部材３４・３５のそれぞれの両縁部には、両部材３４・３５により形成される矩形閉断面形状に対して外側（車体前後方向）にそれぞれ延出する各フランジ３４ａ・３５ａが形成されている。各フランジ３４ａ・３５ａの対峙するもの同士を溶接することにより矩形閉断面形状のロア部材１３ａが形成されている。
【００１６】
そして、ロア部材１３ａの車体前側に延出するフランジ３４ａ・３５ａの一部である蓋状部材３５のフランジ３５ａが、対峙するフランジ３４ａよりも長く形成されている。そのフランジ３５ａの延長された部分としての延長部３６には下部衝撃吸収部材としての合成樹脂製の衝撃吸収プレート３７のロア部材１３ａ側となる基端部３７ｅが結合されている。
【００１７】
衝撃吸収プレート３７は、図３に併せて示されるように、ロア部材１３ａに対応して車幅方向に長く形成された板状部分３７ａと、その板状部分３７ａの車体下側となる裏面から下方に突設されたリブ３７ｂとを有する形状に形成されている。その板状部分３７ａのロア部材１３ａ側に基端部３７ｅがあり、その後縁部には車幅方向に間隔をあけて厚さ方向に貫通する複数の孔３７ｃが設けられている。
【００１８】
また、衝撃吸収プレート３７を図３の矢印IV−IV線に沿って破断して示すと共に延長部３６との結合状態を示す図４に併せて示されるように、上記延長部３６には各孔３７ｃに対応して同数の孔３６ａが設けられている。衝撃吸収プレート３７は延長部３６に、それぞれの対応する孔３６ａ・３７ｃに上方から挿通されたクリップ３８により上下方向に固定されている。なお、クリップ３８は、円板状の頭部と、頭部に一体かつ同軸に突設された軸部と、軸部の一部を切り欠くように形成されかつ軸部の外方に突出し得る複数の係合片と、頭部から軸部に没入可能に設けられかつ没入状態で係合片を突出させるための押しピンとを有する公知の２部材を締結する工業用ファスナであって良い。
【００１９】
また、衝撃吸収プレート３７の車体後側となるロア部材１３ａ側には、クリップ３８による固定される基端部３７ｅから、延長部３６を挿通する開口３７ｆを下方に有し、延長部３６の下面に沿って延在して、ロア部材１３ａの車体前側となるバンパ３１に臨む壁面３９に至るように延出部分３７ｄが形成されている。図４に良く示されるように、板状部分３７ａは延長部３６の上面に載置状態に固定され、延出部分３７ｄは延長部３６の下側に位置するようにされていることから、板状部分３７ａと延出部分３７ｄとは、板状部分３７ａに対して延出部分３７ｄが１段下がる階段状に形成されている。また、延出部分３７ｄの上面に、延長部分３６またはフランジ３４ａ・３５ａを挟み込むためのリブ４１を設けることにより、安定して、車体上下方向について１箇所のクリップ３８での固定構造で衝撃吸収プレート３７を保持できる。
【００２０】
このようにして構成された衝撃吸収プレート３７にあっては、図５に示されるように前方からの弱い荷重Ｆが加わった時に、一番剛性の低い部分（例えばクリップ３８の挿通孔３７ｃ回り）が変形し、ロア部材１３ａに向けて変位する。すると、延出部分３７ｄの突出端が壁面３９に衝当するため、衝撃吸収プレート３７が座屈する程の大きな荷重でなければその状態が保持される。例えば歩行者の足であればバンパ３１の上部を支点とするように下側を払い上げることができ、歩行者の足を衝突から安全に保護することができる。
【００２１】
このように、車体１の上下方向についてはクリップ３８による１箇所で固定する構造ですみ、荷重Ｆに対してはクリップ３８と延出部分３７ｄの衝当する壁面３９とにより受けることができるため従来技術のように２箇所で固定しなくても、はね上げ支持剛性が確保される。
【００２２】
また、衝撃吸収プレート３７の車体前側端部には、車幅方向の複数箇所に板状部分３７ａの一部を上方に突設させた凸部４０が一体に形成されている。凸部４０の突出端面にはさらに図示例では剛性の向上のため左右一対のリブ４０ａが設けられている。また、バンパ３１の開口３１ａを形成するべく車体内側に折り込むように形成された、バンパの下部にて車体後方に突出形成された突出部分としての縁形成部分３１ｂと凸部４０とが車体前後方向に対して略同一位置にて対峙するように設定されている。これにより、上記荷重Ｆが加わって衝撃吸収プレート３７が図５の二点鎖線で示されるように車体上側に変位した場合でも、縁形成部分３１ｂに凸部４０（リブ４０ａ）が衝当し得るため、衝突時に衝撃吸収プレート３７が跳ね上がるのを防止することができる。
【００２３】
したがって、衝撃吸収プレート３７は、後方のロア部材１３ａ側へ押され、衝撃吸収プレート３７の延出部分３７ｄを上記したようにロア部材１３ａの延長部３６に沿って壁面３９に至るように延在させる形状としたことから、延出部分３７ｄをロア部材１３ａへ干渉させ、歩行者の足払いを行うことができる。また、延出部分３７ｄをロア部材１３ａの下面に至るまで延出させてロア部材１３ａとバンパ３１の車体下側部分とにより挟み込むように固定する必要も生じない。これにより、ロア部材１３の下面より下方に突出する部材の数を最小限（バンパ３１の車体下側部分のみ）とすることができ、車体上下方向に対する必要な寸法を短く設定することができ、車体上下方向のレイアウト性を向上し得る。
【００２４】
このように、上記したようなバンパ３１への軽微なダメージで衝撃吸収プレート３７を修理・交換するために取り外す場合にはクリップ３８を抜くだけという簡単なもので済み、修理・交換作業が容易である。さらに、上記縁形成部分３１ｂと凸部４０との衝当による衝撃吸収プレート３７の跳ね上がり防止構造により、衝撃吸収プレート３７の車体前側部分を車体側部材に固定する必要がないため、固定構造のより一層の簡素化を促進し得る。
【００２５】
本発明の上記構造によれば、図２に示されるようにバンパ３１に冷却風導入用に開口３１ａが設けられている場合にも有効である。開口３１ａを介してバンパ３１の車体側となる内側が見えてしまう（中見え）が、衝撃吸収プレート３７の板状部分３７ａにより覆い隠すことができ、板状部分３７ａの意匠性を考慮することにより中見えに対する見栄えを良くすることができる。
【００２６】
なお、ロア部材１３ａの閉断面形状を形成するコ字状断面部材３４と蓋状部材３５との互いに固着されるフランジ３４ａ・３５ａに孔３７ｃを設けると共に孔にクリップ３８を挿通して衝撃吸収プレート３７を固定することから、固定作業を容易に行うことができ、修理・交換作業をより一層簡単に行うことができる。また、延出部分３７ｄとロア部材１３ａとの車体上下方向の厚さが延出部分３７ｄの方が薄いことにより、延出部分３７ｄの下端をロア部材１３ａの下端より上に位置させることができ、フレームの下側への出っ張りを防止でき、レイアウト性が向上し得る。また、フランジ３５ａの延長部３６を設けた構造により、バンパ３１とフロントバルクヘッド１３のロア部材１３ａとの間が離れていても、下部衝撃吸収プレート３７を長くする必要がないため、コンパクト化により楽に組み付けることができる。
【図面の簡単な説明】
【００２７】
【図１】本発明が適用された乗用車型自動車のフレーム全体を斜め前方から見た斜視図である。
【図２】図１の矢印II線から見た車体前部を示す要部拡大断面図である。
【図３】本発明に基づく衝撃吸収プレートを示す斜視図である。
【図４】衝撃吸収プレートの固定構造を示す拡大断面図である。
【図５】軽微な衝突状態を示す図４に対応する図である。
【符号の説明】
【００２８】
１  車体
１３  フロントバルクヘッド
１３ａ  ロア部材
３１  バンパ
３１ｂ  縁形成部分（突出部分）
３４  コ字状断面部材
３４ａ・３５ａ  フランジ
３５  蓋状部材
３６  延長部分（フランジの延長された部分）
３７  下部衝撃吸収プレート（下部衝撃吸収部材）
３６ａ・３７ｃ  孔
３７ｄ  延出部分
３７ｅ  基端部
３７ｆ  開口
３８  クリップ
３９  壁面
４０  凸部
４１  リブ
【図１】
0004850862.tif 000002
【図２】
0004850862.tif 000003
【図３】
0004850862.tif 000004
【図４】
0004850862.tif 000005
【図５】
0004850862.tif 000006